【手続補正書】
【提出日】平成16年11月4日(2004.11.4)
【手続補正１】
【補正対象書類名】明細書
【補正対象項目名】特許請求の範囲
【補正方法】変更
【補正の内容】
【特許請求の範囲】
【請求項１】
複数の発光部を有する光源手段と、該複数の発光部から各々独立に光変調され出射された複数の光束を偏向する偏向手段と、該偏向手段で偏向された複数の光束を被走査面上に結像させる走査光学系と、該偏向手段で偏向された複数の光束の少なくとも１つの光束を検出用光束として検出し、該複数の光束の走査開始タイミングを制御する同期検出手段と、を有するマルチビーム走査光学装置において、
前記走査開始タイミングは、前記複数の光束の波長が相違していた場合に、各々の光束の被走査面上における走査範囲の画像書き出し位置が互いに異なるように制御されており、且つ各々の光束の被走査面上における走査範囲の中心位置が互いに一致するように制御されていることを特徴とするマルチビーム走査光学装置。
【請求項２】
前記検出用光束を集光して前記同期検出手段に導く検出用光学素子を有し、
該検出用光学素子に向かう複数の光束は、前記走査光学系を通過しておらず、
該検出用光学素子の光学面は該検出用光束に対して正対しており、
前記被走査面における主走査方向の走査幅の中心位置に入射する光束の主光線と前記走査光学系の光軸が一致していることを特徴とする請求項１に記載のマルチビーム走査光学装置。
【請求項３】
前記検出用光学素子はアナモフィックレンズより成ることを特徴とする請求項２に記載のマルチビーム走査光学装置。
【請求項４】
前記走査光学系は屈折光学素子と回折光学素子とを有していることを特徴とする請求項１乃至３の何れか１項に記載のマルチビーム走査光学装置。
【請求項５】
前記同期検出手段は前記複数の発光部から出射された複数の光束に対して各々主走査方向の走査開始タイミングを制御することを特徴とする請求項１乃至４の何れか１項に記載のマルチビーム走査光学装置。
【請求項６】
複数の発光部を有する光源手段と、該複数の発光部から各々独立に光変調され出射された複数の光束を偏向する偏向手段と、該偏向手段で偏向された複数の光束を被走査面上に結像させる走査光学系と、該偏向手段で偏向された複数の光束の少なくとも１つの光束を検出用光束として検出し、該複数の光束の走査開始タイミングを制御する同期検出手段と、を有するマルチビーム走査光学装置において、
前記検出用光学素子に向かう複数の光束は、前記走査光学系を通過しておらず、該検出用光学素子の光学面は該検出用光束に対して正対しており、前記被走査面における主走査方向の走査幅の中心位置に入射する光束の主光線と前記走査光学系の光軸が一致しており、
前記走査開始タイミングは、前記複数の光束の波長が相違していた場合に、各々の光束の被走査面上における走査範囲の中心位置が互いに一致するように制御されていることを特徴とするマルチビーム走査光学装置。
【請求項７】
前記検出用光学素子はアナモフィックレンズより成ることを特徴とする請求項６に記載のマルチビーム走査光学装置。
【請求項８】
前記走査光学系は屈折光学素子と回折光学素子とを有していることを特徴とする請求項６又は７に記載のマルチビーム走査光学装置。
【請求項９】
前記同期検出手段は前記複数の発光部から出射された複数の光束に対して各々主走査方向の走査開始タイミングを制御することを特徴とする請求項６乃至８の何れか１項に記載のマルチビーム走査光学装置。
【請求項１０】
請求項１乃至９の何れか１項に記載のマルチビーム走査光学装置と、前記被走査面に対応する位置に配置された像担持体と、を有することを特徴とする画像形成装置。
【請求項１１】
請求項１乃至９の何れか１項に記載のマルチビーム走査光学装置とそれに対応する像担持体との組を複数有し、各走査光学装置から出射された光束を各々対応する像担持体面上に導光し、該光束で該像担持体面上を走査して、該像担持体面に異なった色光の画像を形成し、該複数の像担持体面上に形成した画像よりカラー画像を形成することを特徴とするカラー画像形成装置。
【手続補正２】
【補正対象書類名】明細書
【補正対象項目名】００１６
【補正方法】変更
【補正の内容】
【００１６】
【課題を解決するための手段】
請求項１の発明のマルチビーム走査光学装置は、
複数の発光部を有する光源手段と、該複数の発光部から各々独立に光変調され出射された複数の光束を偏向する偏向手段と、該偏向手段で偏向された複数の光束を被走査面上に結像させる走査光学系と、該偏向手段で偏向された複数の光束の少なくとも１つの光束を検出用光束として検出し、該複数の光束の走査開始タイミングを制御する同期検出手段と、を有するマルチビーム走査光学装置において、
前記走査開始タイミングは、前記複数の光束の波長が相違していた場合に、各々の光束の被走査面上における走査範囲の画像書き出し位置が互いに異なるように制御されており、且つ各々の光束の被走査面上における走査範囲の中心位置が互いに一致するように制御されていることを特徴としている。
【手続補正３】
【補正対象書類名】明細書
【補正対象項目名】００１７
【補正方法】変更
【補正の内容】
【００１７】
請求項２の発明は請求項１の発明において、
前記検出用光束を集光して前記同期検出手段に導く検出用光学素子を有し、
該検出用光学素子に向かう複数の光束は、前記走査光学系を通過しておらず、
該検出用光学素子の光学面は該検出用光束に対して正対しており、
前記被走査面における主走査方向の走査幅の中心位置に入射する光束の主光線と前記走査光学系の光軸が一致していることを特徴としている。
【手続補正４】
【補正対象書類名】明細書
【補正対象項目名】００１８
【補正方法】変更
【補正の内容】
【００１８】
請求項３の発明は請求項２の発明において、
前記検出用光学素子はアナモフィックレンズより成ることを特徴としている。
【手続補正５】
【補正対象書類名】明細書
【補正対象項目名】００１９
【補正方法】変更
【補正の内容】
【００１９】
請求項４の発明は請求項１乃至３の何れか１項の発明において、
前記走査光学系は屈折光学素子と回折光学素子とを有していることを特徴としている。
【手続補正６】
【補正対象書類名】明細書
【補正対象項目名】００２０
【補正方法】変更
【補正の内容】
【００２０】
請求項５の発明は請求項１乃至４の何れか１項の発明において、
前記同期検出手段は前記複数の発光部から出射された複数の光束に対して各々主走査方向の走査開始タイミングを制御することを特徴としている。
【手続補正７】
【補正対象書類名】明細書
【補正対象項目名】００２１
【補正方法】変更
【補正の内容】
【００２１】
請求項６の発明のマルチビーム走査光学装置は、
複数の発光部を有する光源手段と、該複数の発光部から各々独立に光変調され出射された複数の光束を偏向する偏向手段と、該偏向手段で偏向された複数の光束を被走査面上に結像させる走査光学系と、該偏向手段で偏向された複数の光束の少なくとも１つの光束を検出用光束として検出し、該複数の光束の走査開始タイミングを制御する同期検出手段と、を有するマルチビーム走査光学装置において、
前記検出用光学素子に向かう複数の光束は、前記走査光学系を通過しておらず、該検出用光学素子の光学面は該検出用光束に対して正対しており、前記被走査面における主走査方向の走査幅の中心位置に入射する光束の主光線と前記走査光学系の光軸が一致しており、
前記走査開始タイミングは、前記複数の光束の波長が相違していた場合に、各々の光束の被走査面上における走査範囲の中心位置が互いに一致するように制御されていることを特徴としている。
【手続補正８】
【補正対象書類名】明細書
【補正対象項目名】００２２
【補正方法】変更
【補正の内容】
【００２２】
請求項７の発明は請求項６の発明において、
前記検出用光学素子はアナモフィックレンズより成ることを特徴としている。
【手続補正９】
【補正対象書類名】明細書
【補正対象項目名】００２３
【補正方法】変更
【補正の内容】
【００２３】
請求項８の発明は請求項６又は７の発明において、
前記走査光学系は屈折光学素子と回折光学素子とを有していることを特徴としている。
【手続補正１０】
【補正対象書類名】明細書
【補正対象項目名】００２４
【補正方法】変更
【補正の内容】
【００２４】
請求項９の発明は請求項６乃至８の何れか１項の発明において、
前記同期検出手段は前記複数の発光部から出射された複数の光束に対して各々主走査方向の走査開始タイミングを制御することを特徴としている。
【手続補正１１】
【補正対象書類名】明細書
【補正対象項目名】００２５
【補正方法】変更
【補正の内容】
【００２５】
請求項１０の発明の画像形成装置は、
請求項１乃至９の何れか１項に記載のマルチビーム走査光学装置と、前記被走査面に対応する位置に配置された像担持体と、を有することを特徴としている。
【手続補正１２】
【補正対象書類名】明細書
【補正対象項目名】００２６
【補正方法】変更
【補正の内容】
【００２６】
請求項１１の発明のカラー画像形成装置は、
請求項１乃至９の何れか１項に記載のマルチビーム走査光学装置とそれに対応する像担持体との組を複数有し、各走査光学装置から出射された光束を各々対応する像担持体面上に導光し、該光束で該像担持体面上を走査して、該像担持体面に異なった色光の画像を形成し、該複数の像担持体面上に形成した画像よりカラー画像を形成することを特徴としている。
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】
【手続補正１６】
【補正対象書類名】明細書
【補正対象項目名】００３０
【補正方法】削除
【補正の内容】
【手続補正１７】
【補正対象書類名】明細書
【補正対象項目名】００３１
【補正方法】削除
【補正の内容】
【手続補正１８】
【補正対象書類名】明細書
【補正対象項目名】００３２
【補正方法】削除
【補正の内容】
【手続補正１９】
【補正対象書類名】明細書
【補正対象項目名】００３３
【補正方法】削除
【補正の内容】
【手続補正２０】
【補正対象書類名】明細書
【補正対象項目名】００３４
【補正方法】削除
【補正の内容】
【手続補正２１】
【補正対象書類名】明細書
【補正対象項目名】００３５
【補正方法】削除
【補正の内容】
【手続補正２２】
【補正対象書類名】明細書
【補正対象項目名】００３６
【補正方法】削除
【補正の内容】
【手続補正２３】
【補正対象書類名】明細書
【補正対象項目名】００３７
【補正方法】削除
【補正の内容】
【手続補正２４】
【補正対象書類名】明細書
【補正対象項目名】００３８
【補正方法】削除
【補正の内容】
【手続補正２５】
【補正対象書類名】明細書
【補正対象項目名】００３９
【補正方法】削除
【補正の内容】
【手続補正２６】
【補正対象書類名】明細書
【補正対象項目名】００４０
【補正方法】削除
【補正の内容】
【手続補正２７】
【補正対象書類名】明細書
【補正対象項目名】００４１
【補正方法】削除
【補正の内容】
【手続補正２８】
【補正対象書類名】明細書
【補正対象項目名】００４２
【補正方法】削除
【補正の内容】
【手続補正２９】
【補正対象書類名】明細書
【補正対象項目名】００４３
【補正方法】削除
【補正の内容】
【手続補正３０】
【補正対象書類名】明細書
【補正対象項目名】００４４
【補正方法】削除
【補正の内容】
【手続補正３１】
【補正対象書類名】明細書
【補正対象項目名】００４５
【補正方法】削除
【補正の内容】
【手続補正３２】
【補正対象書類名】明細書
【補正対象項目名】００４６
【補正方法】削除
【補正の内容】
【手続補正３３】
【補正対象書類名】明細書
【補正対象項目名】００４７
【補正方法】削除
【補正の内容】
【手続補正３４】
【補正対象書類名】明細書
【補正対象項目名】００４８
【補正方法】削除
【補正の内容】
【手続補正３５】
【補正対象書類名】明細書
【補正対象項目名】００４９
【補正方法】削除
【補正の内容】
【手続補正３６】
【補正対象書類名】明細書
【補正対象項目名】００５０
【補正方法】削除
【補正の内容】
【手続補正３７】
【補正対象書類名】明細書
【補正対象項目名】００５１
【補正方法】削除
【補正の内容】
【手続補正３８】
【補正対象書類名】明細書
【補正対象項目名】００５２
【補正方法】削除
【補正の内容】
【手続補正３９】
【補正対象書類名】明細書
【補正対象項目名】００５３
【補正方法】削除
【補正の内容】
【手続補正４０】
【補正対象書類名】明細書
【補正対象項目名】００５４
【補正方法】削除
【補正の内容】
【手続補正４１】
【補正対象書類名】明細書
【補正対象項目名】００５５
【補正方法】削除
【補正の内容】
【手続補正４２】
【補正対象書類名】明細書
【補正対象項目名】００５６
【補正方法】削除
【補正の内容】
【手続補正４３】
【補正対象書類名】明細書
【補正対象項目名】００５７
【補正方法】削除
【補正の内容】
【手続補正４４】
【補正対象書類名】明細書
【補正対象項目名】００５８
【補正方法】削除
【補正の内容】
【手続補正４５】
【補正対象書類名】明細書
【補正対象項目名】００５９
【補正方法】削除
【補正の内容】
【手続補正４６】
【補正対象書類名】明細書
【補正対象項目名】００６０
【補正方法】削除
【補正の内容】
【手続補正４７】
【補正対象書類名】明細書
【補正対象項目名】００６１
【補正方法】削除
【補正の内容】
【手続補正４８】
【補正対象書類名】明細書
【補正対象項目名】００６２
【補正方法】削除
【補正の内容】
【手続補正４９】
【補正対象書類名】明細書
【補正対象項目名】００６３
【補正方法】削除
【補正の内容】
【手続補正５０】
【補正対象書類名】明細書
【補正対象項目名】００６４
【補正方法】削除
【補正の内容】
【手続補正５１】
【補正対象書類名】明細書
【補正対象項目名】００６５
【補正方法】削除
【補正の内容】
【手続補正５２】
【補正対象書類名】明細書
【補正対象項目名】００６６
【補正方法】削除
【補正の内容】
【手続補正５３】
【補正対象書類名】明細書
【補正対象項目名】００６７
【補正方法】削除
【補正の内容】
【手続補正５４】
【補正対象書類名】明細書
【補正対象項目名】００６８
【補正方法】削除
【補正の内容】
【手続補正５５】
【補正対象書類名】明細書
【補正対象項目名】００６９
【補正方法】削除
【補正の内容】
【手続補正５６】
【補正対象書類名】明細書
【補正対象項目名】００７０
【補正方法】削除
【補正の内容】
【手続補正５７】
【補正対象書類名】明細書
【補正対象項目名】００７１
【補正方法】削除
【補正の内容】
【手続補正５８】
【補正対象書類名】明細書
【補正対象項目名】００７２
【補正方法】削除
【補正の内容】
【手続補正５９】
【補正対象書類名】明細書
【補正対象項目名】００７３
【補正方法】削除
【補正の内容】
【手続補正６０】
【補正対象書類名】明細書
【補正対象項目名】００７４
【補正方法】削除
【補正の内容】
【手続補正６１】
【補正対象書類名】明細書
【補正対象項目名】００７５
【補正方法】削除
【補正の内容】
【手続補正６２】
【補正対象書類名】明細書
【補正対象項目名】００７６
【補正方法】削除
【補正の内容】
【手続補正６３】
【補正対象書類名】明細書
【補正対象項目名】００７７
【補正方法】削除
【補正の内容】
【手続補正６４】
【補正対象書類名】明細書
【補正対象項目名】００７８
【補正方法】削除
【補正の内容】
【手続補正６５】
【補正対象書類名】明細書
【補正対象項目名】００７９
【補正方法】削除
【補正の内容】
【手続補正６６】
【補正対象書類名】明細書
【補正対象項目名】００８０
【補正方法】削除
【補正の内容】
【手続補正６７】
【補正対象書類名】明細書
【補正対象項目名】００８１
【補正方法】削除
【補正の内容】
【手続補正６８】
【補正対象書類名】明細書
【補正対象項目名】００８２
【補正方法】削除
【補正の内容】
【手続補正６９】
【補正対象書類名】明細書
【補正対象項目名】００９１
【補正方法】変更
【補正の内容】
【００９１】
５は偏向素子(偏向手段)としての、例えばポリゴンミラー（回転多面鏡）より成る光偏向器であり、モーター等の駆動手段（不図示）により図中矢印５ａ方向に一定速度で回転している。
【手続補正７０】
【補正対象書類名】明細書
【補正対象項目名】００９５
【補正方法】変更
【補正の内容】
【００９５】
７は同期検出用光学素子（検出用光学素子）であり、主走査方向と副走査方向とで互いに異なるパワーを有するプラスチック材料で製作されたアナモフィックレンズより成っている。本実施形態におけるアナモフィックレンズ７のレンズ面（光学面）は感光ドラム面８上の主走査方向の走査開始タイミング（走査のタイミング  同期タイミング）を制御するためのポリゴンミラー５からの複数の光束（同期検出用光束）７３に対して、正対を含むほぼ正対して配置されており、該同期検出用光束７３を主走査断面内及び副走査断面内において、共にスリット７１近傍に結像させている。
【手続補正７１】
【補正対象書類名】明細書
【補正対象項目名】０１０３
【補正方法】変更
【補正の内容】
【０１０３】
本実施形態では上記の如くプラスチック材料で単独成形したアナモフィックレンズ７を、そのレンズ面が同期検出用光束７３に対し、正対を含むほぼ正対するよう配置している。これにより図１に示すように、例えばマルチ半導体レーザー１を構成するＡレーザーに対するＢレーザーの光源波長が変化しても主走査方向の同期検出（書き出し同期信号）のタイミングは変化しない。また環境変化により同期検出用光学素子７の屈折率が変化しても上記と同様に同期検出のタイミングは変化しない。尚、図１においてはＡレーザー及びＢレーザーの各々の光束の結像点のみを、Ａ点及びＢ点で示してある。
【手続補正７２】
【補正対象書類名】明細書
【補正対象項目名】０１０５
【補正方法】変更
【補正の内容】
【０１０５】
即ち、本実施形態では波長変化や環境変化による屈折率変化に対し、同期検出のタイミングは変化せず、かつ画像領域上の結像位置は走査光学素子６の光軸に対して対称に変化するため、図２に示すように画像の書き出し側と画像の書き終わり側で倍率変化量を振り分けることができる。即ち、本実施例における走査開始タイミングは、複数の光束の波長が相違していた場合に、各々の光束の被走査面８上における走査範囲の画像書き出し位置が互いに異なるように制御されている。これによりジッター量を半減させることができる。
【手続補正７３】
【補正対象書類名】明細書
【補正対象項目名】０１０６
【補正方法】変更
【補正の内容】
【０１０６】
このように本実施形態では上述の如く感光ドラム面８における主走査方向の走査幅の中心相当位置もしくはその近傍において同期検出手段７２により主走査方向の走査開始タイミングを制御し、またアナモフィックレンズ７をそのレンズ面が同期検出光束７３に対し、正対を含むほぼ正対するように配置することにより、倍率色収差の補正を行なわない安価なプラスチック成形レンズを走査光学素子に用いた場合においても、波長ズレ（初期波長差）や環境変化による倍率ズレ（倍率変化）に起因するマルチ走査光学装置のジッターを低減させることができる。
【手続補正７４】
【補正対象書類名】明細書
【補正対象項目名】０１１６
【補正方法】変更
【補正の内容】
【０１１６】
つまり、光検出器（ＢＤセンサー）と被走査面における主走査方向の走査幅の中心位置とが、光学的に等価な状態となるように構成している。このため、本実施形態では、プラスチック材料で単独成形した同期検出用光学素子（アナモフィックレンズ）をそのレンズ面が同期検出用光束に対し、正対を含むほぼ正対するように配置している。
【手続補正７５】
【補正対象書類名】明細書
【補正対象項目名】０１１９
【補正方法】変更
【補正の内容】
【０１１９】
即ち、本実施例では波長変化や環境変化による屈折率変化に対し、同期検出のタイミングは変化せず、かつ画像領域上の結像位置は走査光学素子の光軸に対して対称に変化するため、図４に示すように画像の書き出し側と画像の書き終わり側で各色の倍率変化量を振り分けることができる。即ち、本実施例における４つの走査光学装置１１，１２，１３，１４の各々の走査開始タイミングは、該４つの走査光学装置１１，１２，１３，１４から射出した光束の波長が互いに相違していた場合に、各々の光束の被走査面８上における走査範囲の画像書き出し位置が互いに異なるように制御されている。これにより色ズレ量を半減させることができる。尚、図４においてはＢ（ブラック）とＣ（シアン）における色ズレを示しているが、他色間の色ズレの場合も同様である。
【手続補正７６】
【補正対象書類名】明細書
【補正対象項目名】０１２０
【補正方法】変更
【補正の内容】
【０１２０】
このように本実施形態では上述の如くタンデムタイプのカラー画像形成装置に使用される走査光学装置において、感光ドラム面における主走査方向の走査幅の中心相当位置もしくはその近傍において同期検出手段により主走査方向の走査開始タイミングを制御し、またアナモフィックレンズを、そのレンズ面が同期検出光束に対し、正対を含むほぼ正対するよう配置することにより、倍率色収差の補正を行なわない安価なプラスチック成形レンズを走査光学素子に用いた場合においても、波長ズレや環境変化による倍率ズレに起因するカラー画像の色ズレを低減させることができる。
【手続補正７７】
【補正対象書類名】図面
【補正対象項目名】図７
【補正方法】変更
【補正の内容】
【図７】
2000330050.tif 000001